(57)【要約】      （修正有）【課題】スチール製脚をもつ木製テーブルで、全体の雰囲気で意外性、野性的にした皮革を装着した脚部にして、スチール製脚部材と装飾性無垢板を使用した天板に直付けにより設けた木製テーブルを提供する。【解決手段】無垢板材を張り合わせた天板とスチールに皮革を装着した脚部４からなるテーブル１において、天板は無垢板材の種々の材質、色彩のものを横配列に接合したものであって、長方形体、正方形体、多角形体、円形体であり、脚部４は、３〜４本であって、上部に天板を固定する三角形盤と、中間部に皮革を装着したスチールのパイプ、又は角材で、天板の補強にために三角形盤とを結んだ補強部材６を付けた脚本体と、底部に高さ調整具とを取り付けている皮革を装着したスチール脚付き木製テーブル１である。【選択図】図１
0003214184.tif 000002
【実用新案登録請求の範囲】
【請求項１】
無垢板材を張り合わせた天板とスチールに皮革を装着した脚部からなるテーブルにおいて、天板は無垢板材の種々の材質、色彩のものを横配列に接合したものであって、長方形体、正方形体、多角形体、円形体であり、脚部は、３〜４本であって、上部に天板を固定する三角形盤と、中間部に皮革を装着したスチールのパイプ、又は角材で、天板の補強にために三角形盤とを結んだ補強部材を付けた脚本体と、底部に高さ調整具とを取り付けていることを特徴とする皮革を装着したスチール脚付き木製テーブル。
【請求項２】
前記脚部は、中心部の脚本体としてスチール製の１５〜５０ｍｍ径、または太さ、５００〜７００ｍｍ長さのパイプ、または角材に、厚さ０．５〜３ｍｍの皮革、合成皮革を巻いて装着し、前記脚本体の上部に底辺の長さ２００〜２５０ｍｍの直角三角形盤に直角点部に前記脚本体を固着して、他の点二箇所に５〜１５ｍｍの太さの補助部材を取り付け、脚本体の中間部か上部から１／３の位置にネジ止めできるようにして、前記三角形盤と天板とを固着、取り外しを容易にしているダボネジを取り付けられる２〜８ｍｍφの穴部を３〜５箇所設けており、脚本体の底部には高さアジャスターの調節具を嵌め込んでいることを特徴とする請求項１に記載の皮革を装着したスチール脚付き木製テーブル。
【請求項３】
前記天板は、厚さ１０〜４０ｍｍ、幅１０〜３００ｍｍ、長さ９００〜２５００ｍｍの無垢板を横に配列して接合をしたものを、接合板を正方形、長方形、多角形、円形に加工して製作して、横５００〜１２００ｍｍ、縦９００〜２５００ｍｍ、又は直径６００〜１５００ｍｍにしたものであり、前記無垢板は木質、色彩の異なったものを交互、ランダム配列して、意外性、装飾性を高めたものになるように、比重の高いウォールナット、チーク、ローズウッド、カリン、チェリー、セドロマッチョ、ケヤキ、パイン、オーク、アッシュから選ばれた材料であることを特徴とする請求項１、又は請求項２に記載の皮革を装着したスチール脚付き木製テーブル。
【考案の詳細な説明】
【技術分野】
【０００１】本考案はスチール製脚をもつ木製テーブルであるが、全体の雰囲気に意外性、野性的にした皮革を被覆した脚部にして、スチール製脚部材と無垢板を使用した天板に直付けにより設けた木製テーブルに関するものである。
【背景技術】
【０００２】従来、スチール製天板を持つテーブルでは、脚部材を取付けるために矩形枠状をなすフレームを天板の下面に設けることが必須の要件であった。【０００３】一般にスチール製天板は、スチール板をプレス等により曲げ加工して外見上の厚みを形成するが、内部が中空であるため、縦荷重は勿論のこと、横荷重も受ける脚部材を高い強度で天板に取付けることが困難である。このため上記のような天板と脚部材とを強固に結合する仲介部材として、天板下面に矩形枠状をなすフレームが必要であったのである。この点は、中空のスチール製天板部材の内部にハニカムコア材や発泡材を充填した天板、或は、型材等の強度メンバを内装した天板においても同様である。これは充填材や強度メンバには、脚の取付けるに足りる強度が与えられていないか、或は、そのような強度が得られないからである。【０００４】金属板により内部が中空で薄手の天板外皮を形成すると共に、該中空外皮の内部に、補強材と脚取付座部を設けて発泡体又はハニカムコア材による充填材を詰めて成る天板に、該天板の下面から前記脚取付座部に結合される脚支持プレートを有する脚を、その支持プレートにより取付けたスチール製テーブルが提案されている（特許文献１参照）。【０００５】  中央部とその周囲に配置した５本のスチールパイプ製の支柱から成る脚部と、この脚部の上部に嵌縮可能に接続させた角部に補強板を取り付けた継手と、この継手同志を接続させる同じくスチールパイプ製の枠材と、前記各支柱及び前記各枠材を前記継手へ固定させる固定手段と、前記枠材の上面に固定させた卓板とで構成する。尚、脚部はその下端部同志を固定部材で互いに連結固定させることができるスチールテーブルが提案されている（特許文献２参照）。【０００６】天板を支持する左右の脚部に、天板下面に沿って横設した連動シャフトによって互いに同調して前記天板の高さを調節可能な昇降機構を内蔵してなる昇降テーブルであって、前記天板の下面横方向に形成した凹溝内にチャンネル部材を取付け、該チャンネル部材に前記連動シャフトを収容してなるスチール製昇降テーブルが提案されている（特許文献３参照）。【０００７】テーブル天板は、天板上面の表面層として、厚さが１ｍｍ以上３０ｍｍ以下の弾性を有する緩衝層と、その緩衝層上に形成された表面保護層とを有し、上記表面保護層は、皮革、合成皮革又は布からなるものが提案されている（特許文献４参照）。【０００８】ところで、天板の下面にその下面から突出してフレームが設けられていると、該テーブルの天板下面から床面までの有効距離が、天板下面にフレームが出張って設けられていることにより小さくなり、これによって、例えば、肘掛付きの椅子がその肘掛けが前記フレームに当るためテーブルの下に入らなかったり、或は、車椅子がテーブルの天板下面まで乗入れられないことがあるという問題がある。【０００９】一般に屋外、野外のテーブルとしては、アルミニウム、ステンレススチールが使用されているが、室内では非常に少ない。室内の装飾性、デザイン性をもたらせるテーブルとして、皮革を使用したテーブルは少なく、とくに室内での木製テーブルのスチール脚に皮革を巻いて野性的な、野外的な感覚をもたらせるテーブルにつ���ては、全く存在していない。【００１０】上記の問題点は、テーブルのスチール製脚の装飾性を高めるために、外見上解決するように見えるが、テーブルの天板に天然的、自然的に加工されたものにして、テーブルのスチール製脚を種々の皮革を巻いた被覆状態にした脚にして野性的なテーブルに仕上げたものによって、実質上の解決手段にしたい。
【先行技術文献】
【特許文献】
【００１１】
【特許文献１】特開平９−３５４号公報
【特許文献２】特開平８−２２８８４４号公報
【特許文献３】特開２００１−１２８７４２号公報
【特許文献４】特開２０１７−５６０１５号公報
【考案の概要】
【考案が解決しようとする課題】
【００１２】本考案は上記のような点に鑑み、室内で野外的、野生的感覚を齎せるテーブルに皮革を使用した天板、脚を検討されているが、価格、耐久性などで問題を生じている。天板下面から床面までの脚に皮革を使用することも期待されている。また、木製の野性的な木材を使用してフレームをしない無垢板の天板を具備したテーブルを提供することも課題になっている。【００１３】一般に屋外、野外のテーブルとしては、アルミニウム、ステンレススチールが使用されているが、室内に設置して以前にない雰囲気の状態の中で、家具を使用する場合には。室内の装飾性、デザイン性、異色性、野性的感覚をもたらせる家具としたるテーブルとして、脚部分に皮革を使用したテーブルはない。とくに室内での木製テーブルのスチール脚に皮革を巻いて野性的な、野外的な感覚をもたらせるテーブルについては、全く存在していない。【００１４】上記の問題点は、テーブルのスチール製脚の装飾性、意外性を高めるために、外見上解決するように見えるが、テーブルの天板に天然的、自然的、野性的に細工されたものにして、テーブルのスチール製脚を種々の皮革を巻いた被覆状態にした脚を持つテーブルに仕上げることである。
【課題を解決するための手段】
【００１５】無垢板材を張り合わせた天板とスチールに皮革を装着した脚部からなるテーブルにおいて、天板は無垢板材の種々の材質、色彩のものを横配列に接合したものであって、長方形体、正方形体、多角形体、円形体であり、脚部は、３〜４本であって、上部に天板を固定する三角形盤と、中間部に皮革を装着したスチールのパイプ、又は角材で、天板の補強にために三角形盤とを結んだ補強部材を付けた脚本体と、底部に高さ調整具とを取り付けている皮革を装着したスチール脚付き木製テーブルである。【００１６】前記脚部は、中心部の脚本体としてスチール製の１５〜５０ｍｍ径、または太さ、５００〜７００ｍｍ長さのパイプ、または角材に、厚さ０．５〜３ｍｍの皮革、合成皮革を巻いて装着し、前記脚本体の上部に底辺の長さ１５０〜２５０ｍｍの直角三角形盤に直角点部に前記脚本体を固着して、他の点二箇所に５〜１５ｍｍの太さの補助部材を取り付け、脚本体の中間部か上部から１／２〜１／３の位置にネジ止めできるようにして、前記三角形盤と天板とを固着、取り外しを容易にしているダボネジを取り付けられる２〜８ｍｍφの穴部を３〜５箇所設けており、脚本体の底部には高さアジャスターの調節具を嵌め込んでいる。【００１７】前記天板は、厚さ１０〜５０ｍｍ、幅１０〜３００ｍｍ、長さ９００〜２５００ｍｍの無垢板を横に配列して接合をしたものを、接合板を正方形、長方形、多角形、円形に加工して製作して、縦５００〜１２００ｍｍ、横９００〜２５００ｍｍ、又は直径６００〜１５００ｍｍにしたものであり、前記無垢板は木質、色彩の異なったものを交互、ランダム配列して、意外性、装飾性を高めたものになるように、比重の高いウォールナット、チーク、ローズウッド、カリン、チェリー、セドロマッチョ、ケヤキ、パイン、オーク、アッシュから選ばれた材料である。
【考案の効果】
【００１８】室内で意外性、野生的感覚を齎せる木製テーブルで、脚部に皮革を使用して天板に無垢材の特徴を持たせた、耐久性からも問題を生じないもであった。特に天板下面から床面までの脚に皮革を使用することによって意外性、野生的感覚が増進させた。また、木製の野性的な木材を使用してフレームをしない無垢板の天板を具備したテーブル面は装飾性、意外性も増大してテーブル製品になった。【００１９】屋外、野外のテーブルとしては、アルミニウム、ステンレススチールが使用されているが、室内に設置して意外性を持たせる雰囲気の状態で家具を使用する場合には。室内の装飾性、デザイン性と合わせて、異色性、野性的感覚をもたらせることも重要要件の一つであり、本考案のテーブルは、脚部分に皮革を使用したテーブルで、とくに室内での木製テーブルのスチール脚に皮革を巻いて野性的な感覚をもたらせた上に、無垢板の天板を使用することから意外性の高いテーブルなった。
【図面の簡単な説明】
【００２０】
【図１】皮革を装着したスチール脚付き木製テーブルの斜視図
【図２】皮革を装着したスチール脚付き木製テーブルの脚部の図  Ａ：牛皮革を装着したスチール脚  Ｂ：裏側皮革縫い目を装着したスチール脚  Ｃ：皮革を装着したスチール脚の拡大
【図３】皮革を装着したスチール脚付き木製テーブルにおける天板の図  Ａ：４枚板の接合天板  Ｂ：８枚板の接合天板
【図４】皮革を装着したスチール脚付き木製テーブルの脚部の三角盤の図
【図５】皮革を装着したスチール脚付き木製テーブルを使用している状態図
【考案を実施するための形態】
【００２１】本考案テーブルの実施例について、図に拠り説明する。図は本考案テーブルの一例を示すもので、図１はテーブルの斜視図、図２は図１のテーブルの天板図、図３は脚部の図、図４は三角形盤の図、図５は使用状態図である。
【００２２】無垢板材を張り合わせた天板とスチールに皮革を装着した脚部からなるテーブルにおいて、天板は無垢板材の種々の材質、色彩のものを横配列に接合したものであって、長方形体、正方形体、多角形体、円形体であり、脚部は、３〜４本であって、上部に天板を固定する三角形盤と、中間部に皮革を装着したスチールのパイプ、又は角材で、天板の補強にために三角形盤とを結んだ補強部材を付けた脚本体と、底部に高さ調整具とを取り付けた。
【実施例１】
【００２３】図１に示すように皮革を装着したスチール脚付き木製テーブルにおいて、前記脚部は、図２に示すように中心部の脚本体としてスチール製の２５ｍｍ径、または太さ、６００ｍｍ長さのパイプ、または角材に、厚さ１ｍｍの皮革を巻いて装着し、前記脚本体の上部に図４に示すように底辺の長さ２００ｍｍの直角三角形盤に直角点部に前記脚本体を固着して、他の点二箇所に１０ｍｍの太さの補助部材を取り付け、脚本体の中間部か上部から１／３の位置にネジ止めできるようにして、前記三角形盤と天板とを取り外しを容易にしているネジを取り付けられる４ｍｍφの穴部を４箇所設けており、脚本体の底部には高さアジャスターの調節具を嵌め込んた。【００２４】図３Ａに示すように前記天板は、厚さ３０ｍｍ、幅１００ｍｍ、長さ１８００ｍｍの無垢板を横に４枚配列して接合をしたものを、接合板を長方形に加工して製作して、横９００ｍｍ、横１８００ｍｍにしたものであり、前記無垢板は木質、色彩の異なったものを交互、ランダム配列して、意外性、装飾性を高めたものになるように、比重の高いウォールナット、チェリー、パイン、オーク、アッシュから選ばれた材料であった。図５のように部屋に打ち合わせ用にテーブルとしてデザイン的感覚を持たせて使用した。
【実施例２】
【００２５】図１に示すように皮革を装着したスチール脚付き木製テーブルにおいて、前記脚部は、中心部の脚本体としてスチール製の２５ｍｍ径、６００ｍｍ長さのパイプに、厚さ１．０ｍｍの合成皮革を巻いて装着し、前記脚本体の上部に図４に示すように底辺の長さ２５０ｍｍの直角三角形盤に直角点部に前記脚本体を固着して、他の点二箇所に１５ｍｍの太さの補助部材を取り付け、脚本体の中間部か上部から２／３の位置にネジ止めできるようにして、前記三角形盤と天板とを固着、取り外しを容易にしているダボネジを取り付けられる９ｍｍφの穴部を４箇所設けており、脚本体の底部には高さアジャスターの調節具を嵌め込んだ。【００２６】前記天板は、厚さ３０ｍｍ、幅３００ｍｍ、長さ２２００ｍｍの無垢板を横に配列して接合をしたものを、接合板を長方形に加工して製作して、横９５０ｍｍ、横２２００ｍｍにしたものであり、前記無垢板は木質、色彩の異なったものを交互、ランダム配列して、意外性、装飾性を高めたものになるように、比重の高いウォールナット、チーク、チェリー、オークから選ばれた材料であった。図５のように食卓用テーブルとしてデザイン的感覚を持たせて使用した。
【実施例３】
【００２７】図１に示すように皮革を装着したスチール脚付き木製テーブルにおいて、前記脚部は、中心部の脚本体としてスチール製の２５ｍｍ径、６００ｍｍ長さの角材に、厚さ１ｍｍの合成皮革を巻いて装着し、前記脚本体の上部に底辺の長さ２００ｍｍの直角三角形盤に直角点部に前記脚本体を固着して、他の点二箇所に１３ｍｍの太さの補助部材を取り付け、脚本体の中間部か上部から１／３の位置にネジ止めできるようにして、前記三角形盤と天板とを固着、取り外しを容易にしているダボネジを取り付けられる５ｍｍφの穴部を５箇所設けており、脚本体の底部には高さアジャスターの調節具を嵌め込んた。【００２８】前記天板は、厚さ３０ｍｍ、幅２００ｍｍ、長さ１２００ｍｍの無垢板を横に配列して接合をしたものを、接合板を正方形に加工して製作して、横１２００ｍｍ、横１２００ｍｍにしたものであり、前記無垢板は木質、色彩の異なったものを交互、ランダム配列して、意外性、装飾性を高めたものになるように、比重の高いウォールナット、チーク、チェリー、セドロマッチョ、から選ばれた材料であった。図５のように食卓用テーブルとしてデザイン的感覚を持たせて使用した。
【符号の説明】
【００２９】１．皮革を装着したスチール脚付き木製テーブル
２．天板
３．無垢板
４．脚部
５．脚本体
６．補強部材
７．三角形盤
８．穴
９．皮革
１０．アジャスター
１１．ステッチ
【図１】
0003214184.tif 000003
【図２】
0003214184.tif 000004
【図３】
0003214184.tif 000005
【図４】
0003214184.tif 000006
【図５】
0003214184.tif 000007